(57)【要約】      （修正有）【課題】水侵入防止機能付きの液体吐出用押圧ヘッドを提供する。【解決手段】キャップ１０を備えてなり、該キャップ１０は容器に設けられ、該容器の開口を閉めるために設けられており、軸方向にキャップ１０を貫通して、該キャップ１０に設けられるピストンシリンダー２０、軸方向にピストンシリンダー２０の底部端に接続される吸上げパイプ、部分がピストンシリンダー２０内に収容されるピストンチューブ４０を備えてなり、該ピストンチューブ４０の底部端にはピストンシリンダー２０の内壁と緊密に張り合わせられ、ピストンシリンダー２０に対して軸方向に往復移動し、該ピストンチューブ４０の頂端は、ピストンシリンダー２０の閉められた頂面に突き出されるように設けられており、ピストンチューブ４０の頂端に設けられる押圧ヘッド５０を備える。【選択図】図２
0003203893.tif 000002
【実用新案登録請求の範囲】
【請求項１】
キャップを備えてなり、該キャップは容器に設けられ、該容器の開口を閉めるために設けられており、軸方向にキャップを貫通して、該キャップに設けられるピストンシリンダー、軸方向にピストンシリンダーの底部端に接続される吸上げパイプ、部分がピストンシリンダー内に収容されるピストンチューブを備えてなり、該ピストンチューブの底部端にはピストンが連結され、該ピストンはピストンシリンダーの内壁と緊密に張り合わせられ、ピストンシリンダーに対して軸方向に往復移動し、それに該ピストンチューブの頂端は、ピストンシリンダーの閉められた頂面に突き出されるように設けられており、ピストンチューブの頂端に設けられる押圧ヘッドを備えてなり、押圧ヘッドでピストンチューブを動かして、ピストンをピストンシリンダーに対して往復移動させるようにしている間、ピストンシリンダーが容器内に間欠的に負圧を生じさせ、容器に入っている液体が吸上げパイプを経て、ピストンチューブ、押圧ヘッドへと順次に流れ出され、使用されるようになっており、該ピストンシリンダーの頂面には凹孔があり、該凹孔の底面には管体が突き出され、該管体の水平面の高さはピストンシリンダー頂面の水平面の高さより高く設けられ、そして該管体の内壁は、ピストンチューブの外壁と張り合わせられ、該管体の外壁には雄ネジ部が設けられ、該押圧ヘッドは押圧部を備えてなり、該押圧部の底面には、突き出されたブッシュと連結部が設けられ、該連結部は押圧部の突き出された長さに対して、押圧部に突き出されたブッシュの長さより短く、高度差が生じており、該ブッシュの内壁には該高度差の範囲内で、雌ネジ部が設けられ、該雌ネジ部は選択的に該雄ネジ部にネジ締められ、押圧ヘッドをピストンシリンダーの頂面に位置決めさせるように設けられ、該連結部は、該ピストンチューブの端部とは相互に嵌め合わされ、該押圧部には更に、連結部内に通じるための液体吐出流路が設けられていることを特徴とする、水侵入防止機能付きの液体吐出用押圧ヘッド。
【請求項２】
該連結部は、ピストンチューブの端部に挿入されていることを特徴とする、請求項１に記載の水侵入防止機能付きの液体吐出用押圧ヘッド。
【考案の詳細な説明】
【技術分野】
【０００１】
本考案は、液体吐出用押圧ヘッドに関し、特に水侵入防止機能を有し、各種の粘性液体に対応できるオリジナルな構造形態に関する。
【背景技術】
【０００２】
日常生活で使用されるビンや缶などの容器に、ハンドソープやシャンプーなどの粘着性のある液体を入れるのはよくあることだが、従来の容器の開口は通常、液体漏れ防止用の蓋で閉められているが、容器内の液体を取り出しやすいように、容器の開口に液体吐出用押圧ヘッドが設けられるようになって、ユーザがそれを押して、容器内の液体が出されることになっており、そこで、蓋の開閉を繰り返す必要がなく、とても使いやすい設計だと言える。しかし、現在市販されている各種の液体吐出用押圧ヘッドは、構造上、使用者に指摘される欠点が若干ある。
【０００３】
図６に示すように、従来の液体吐出用押圧ヘッドは、キャップ８０を備えてなり、該キャップ８０は容器（未図示）に設けられ、該容器の開口を閉めるように設けられており、軸方向にキャップ８０を貫通して、そこに設けられているピストンシリンダー８１、軸方向にピストンシリンダー８１の底部端に接続される吸上げパイプ８２、部分がピストンシリンダー８１内に収容されるピストンチューブ８３を備えてなり、該ピストンチューブ８３の底部端は、ピストンシリンダー８１の内壁と緊密に張り合わせられ、ピストンシリンダー８１に対して軸方向に往復移動し、それに、該ピストンチューブ８３の頂端は、ピストンシリンダー８１の閉められた頂面に突き出されており、ピストンチューブ８３の頂端に設けられる押圧ヘッド８４を備えてなり、使用者が押圧ヘッド８４でピストンチューブ８３を動かして、ピストンシリンダー８１に対して往復移動させるようにしている間、ピストンシリンダー８１が容器内に間欠的に負圧を生じさせ、容器に入っている液体が吸上げパイプ８２を経て、ピストンチューブ８３、押圧ヘッド８４へと順次に流れ出され、使用されるようになっている。販売前、運搬時の体積縮小または原価削減のため、または使用者が暫くそれを使用していないとき、誤作動を避けるために、業者がピストンシリンダー８１の頂面にネジ穴８５を、更に押圧ヘッド８４の底部に雄ネジ部セクション８６を設けることによって、雄ネジ部セクション８６がネジ穴８５に締め付けられており、そうすると、押圧ヘッド８４とキャップ８０との間の距離を最小限に抑えられ、押圧ヘッド８４の位置が固定され、前述の目的を達成させるようになっている。しかし、シャンプーやボディーソープの場合を例として、使用者がシャワーしているとき、それを使いやすいように、通常、雄ネジ部セクション８６をネジ穴８５に締め付けさせないようにするので、水飛沫があちこちまき散らされ、更にネジ穴８５やピストンチューブ８３との間の隙間から少しずつ容器に流れ込んで、シャンプーやボディーソープの濃度が次第に希釈されてしまい、正常に使用することが影響されてしまう恐れがある。
【０００４】
そこで、関連業者が液体吐出用押圧ヘッドの構造を改良して、図７に示すように、前述の実施形態のネジ穴８５底面には上向きで垂直に突き出されたブッシュ８７が設けられ、該ブッシュ８７の水平面の高さはキャップ８０の水平面の高さより高く設けられ、散らされた水飛沫がブッシュ８７とネジ穴８５の穴壁との間の環状空間のみに流れ込み、それに、該ブッシュ８７の水平面の高さがキャップ８０の水平面の高さより高くて、溢れ出された水がキャップ８０の端面まで溢れるが、ブッシュ８７まで溢れ出され、容器へと流れ込まれないので、前述の使用上の問題をうまく解決することができる。
【０００５】
また、図８に示すように、ブッシュ８７が設けられている従来の液体吐出用押圧ヘッドでは、従来の液体吐出用押圧ヘッドによる容器内の液体が次第に希釈されてしまう問題を解決できたようだが、構造上、幾つかの欠点を更に改善すべきところがある。例えば、押圧ヘッド８４の雄ネジ部セクション８６が外壁に設けられており、使用者の目から見て、見た目が悪いと感じられること、それに、液体吐出用押圧ヘッドの材質は主に、硬度の低いプラスチックで作られ、外部に露出された雄ネジ部セクション８６に毀損などが生じやすいこと、構造上の問題で、雄ネジ部セクション８６からの雌ネジ部の設計変更に制限があり、即ち、押圧ヘッド８４にある継ぎ手８８が原因となり、図７に示すように、従来の液体吐出用押圧ヘッドの継ぎ手８８が直接に、押圧ヘッド８４の底部端に突き出され、押圧ヘッド８４の内部空間を大きく占めているのに対して、継ぎ手８８と押圧ヘッド８４との間に形成される環状空間が狭すぎたため、押圧ヘッド８４が成形されているとき、ネジ山の成形型を押圧ヘッド８４へ入れることができず、当然、押圧ヘッド８４の中に雌ネジ部が形成されないことから、従来の液体吐出用押圧ヘッドの構造について確かに更なる改善を行わなければならないことといった欠点がある。
【０００６】
それゆえ、上述したような従来の構造に存在する問題点について、どのように、より理想的で実用性のあるオリジナルな液体吐出用押圧ヘッド構造を開発することが、ユーザが望むことであり、関連業者が努力して開発する目標と方向でもある。
【０００７】
それに鑑みて、考案者は関連製品の製造開発や設計に携わる長年の経験を持っており、上述した目標について、詳しく設計を行い、慎重に評価したうえ、ようやく実用性のある本考案を得られたわけである。
【考案の概要】
【考案が解決しようとする課題】
【０００８】
本考案は、水侵入防止機能付きの液体吐出用押圧ヘッドを提供することを目的とし、解決しようとする技術的課題は、より理想的で実用性のある、オリジナルな位置決められる押圧ヘッドの構造形態を開発することにある。
【課題を解決するための手段】
【０００９】
本考案の課題を解決しようとする技術的特徴として、キャップを備えてなり、該キャップは容器に設けられ、該容器の開口を閉めるために設けられており、軸方向にキャップを貫通して、該キャップに設けられるピストンシリンダー、軸方向にピストンシリンダーの底部端に接続される吸上げパイプ、部分がピストンシリンダー内に収容されるピストンチューブを備えてなり、該ピストンチューブの底部端にはピストンが連結され、該ピストンはピストンシリンダーの内壁と緊密に張り合わせられ、ピストンシリンダーに対して軸方向に往復移動し、それに該ピストンチューブの頂端は、ピストンシリンダーの閉められた頂面に突き出されるように設けられており、ピストンチューブの頂端に設けられる押圧ヘッドを備えてなり、押圧ヘッドでピストンチューブを動かして、ピストンをピストンシリンダーに対して往復移動させるようにしている間、ピストンシリンダーが容器内に間欠的に負圧を生じさせ、容器に入っている液体が吸上げパイプを経て、ピストンチューブ、押圧ヘッドへと順次に流れ出され、使用されるようになっており、該ピストンシリンダーの頂面には凹孔があり、該凹孔の底面には管体が突き出され、該管体の水平面の高さはピストンシリンダー頂面の水平面の高さより高く設けられ、そして該管体の内壁は、ピストンチューブの外壁と張り合わせられ、該管体の外壁には雄ネジ部が設けられ、該押圧ヘッドは押圧部を備えてなり、該押圧部の底面には、突き出されたブッシュと連結部が設けられ、該連結部は押圧部の突き出された長さに対して、押圧部に突き出されたブッシュの長さより短く、高度差が生じており、該ブッシュの内壁には該高度差の範囲内で、雌ネジ部が設けられ、該雌ネジ部は選択的に該雄ネジ部にネジ締められ、押圧ヘッドをピストンシリンダーの頂面に位置決めさせるように設けられ、該連結部は、該ピストンチューブの端部とは相互に嵌め合わされ、該押圧部には更に、連結部内に通じるための液体吐出流路が設けられていることを特徴とする該水侵入防止機能付きの液体吐出用押圧ヘッドが提供される。
【００１０】
このようなオリジナルな設計による本考案は、背景技術に対して、押圧ヘッドとピストンシリンダーとの間にある連結構造の変更により、製造工程への改善が可能なうえに、見た目がよく、良品率が向上するという実用性、進歩性及び好適な産業上利用性がある。
【図面の簡単な説明】
【００１１】
【図１】本考案の部分立体分解図。
【図２】本考案の部分断面図。
【図３】本考案の部分分解断面図。
【図４】本考案の押圧ヘッドにキャップをつけたあとの立体外観図。
【図５】本考案の図４の断面図。
【図６】従来の液体吐出用押圧ヘッドの立体外観図。
【図７】もう一つの従来の液体吐出用押圧ヘッドの部分断面図。
【図８】図７の押圧ヘッドの断面図。
【考案を実施するための形態】
【００１２】
図１〜図３に示すのは、本考案の水侵入防止機能付きの液体吐出用押圧ヘッドの好適な実施例だが、これらの実施例は説明のみに用いられるもので、実用新案の出願の際、それらに構造に制限されないこととする。キャップ１０を備えてなり、該キャップ１０は容器（未図示）に設けられ、該容器の開口を閉めるために設けられており、軸方向にキャップ１０を貫通して、該キャップ１０に設けられるピストンシリンダー２０、軸方向にピストンシリンダー２０の底部端に接続される吸上げパイプ３０、部分がピストンシリンダー２０内に収容されるピストンチューブ４０を備えてなり、該ピストンチューブ４０の底部端にはピストン４１が連結され、該ピストン４１はピストンシリンダー２０の内壁と緊密に張り合わせられ、ピストンシリンダー２０に対して軸方向に往復移動し、それに該ピストンチューブ４０の頂端は、ピストンシリンダー２０の閉められた頂面に突き出されるように設けられており、ピストンチューブ４０の頂端に設けられる押圧ヘッド５０を備えてなり、ユーザが押圧ヘッド５０でピストンチューブ４０を動かして、ピストン４１をピストンシリンダー２０に対して往復移動させるようにしている間、ピストンシリンダー２０が容器内に間欠的に負圧を生じさせ、容器に入っている液体が吸上げパイプ３０を経て、ピストンチューブ４０、押圧ヘッド５０へと順次に流れ出され、使用されるように設けられていることを特徴とする該水侵入防止機能付きの液体吐出用押圧ヘッドが図示されている。
【００１３】
該ピストンシリンダー２０の頂面には凹孔２１があり、該凹孔２１の底面には管体２２が突き出され、該管体２２の水平面の高さはピストンシリンダー２０の頂面の水平面の高さより高く設けられ、そして該管体２２の内壁は、ピストンチューブ４０の外壁と張り合わせられ、該管体２２の外壁には雄ネジ部２３が設けられている。
【００１４】
該押圧ヘッド５０は押圧部５１を備えてなり、該押圧部５１の底面には、同軸に突き出されたブッシュ５２と連結部５３が設けられ、該連結部５３は押圧部５１の突き出された長さに対して、押圧部５１に突き出されたブッシュ５２の長さより短く、高度差Ｈが生じており、該ブッシュ５２の内壁には、該高度差Ｈの範囲内で雌ネジ部５４が設けられ、該雌ネジ部５４は選択的に該雄ネジ部２３にネジ締められ、図４、図５に示すように押圧ヘッド５０をピストンシリンダー２０の頂面に位置決めさせるように設けられ、該連結部５３は、該ピストンチューブ４０の端部とは相互に嵌め合わされており、本考案の好適な実施例では、該連結部５３はピストンチューブ４０の端部に挿入されており、該押圧部５１には更に、連結部５３内に通じるための液体吐出流路５５が設けられている。
【００１５】
本考案では、前述したように従来の液体吐出用押圧ヘッドの水侵入防止機能、そして、押圧ヘッド５０が選択的にピストンシリンダー２０と連結される機能を有するほかに、押圧ヘッド５０とピストンシリンダー２０との連結構造の変更より、次のような長所がある。即ち、本考案では、連結部５３の突き出された長さを短縮させ、押圧ヘッド５０のブッシュ５２内の収容空間を拡大させることによって、製造工程が改善されたこと、ブッシュ５２の内壁に雌ネジ部５４を設けられ、それを選択的に管体２２の雄ネジ部２３と結合させることによって、押圧ヘッド５０をピストンシリンダー２０の端部に連結させているかどうかにも関わらず、外観的に何らかの連結構造（従来の構造上における雄ネジ部セクション８６）が外部に露出されず、液体吐出用押圧ヘッドは完全なる外観を持つと同時に、液体吐出用押圧ヘッドの見た目のよさが向上すること、それに、ブッシュ５２の内壁に雌ネジ部５４が設けられることによって、運搬や使用の時、不適切な外力からの衝撃などで本来のあるべき連結（ネジ締め）機能へのマイナスな影響を避けられることといった長所がある。
[考案の効果]
【００１６】
本考案に掲示された「水侵入防止機能付きの液体吐出用押圧ヘッド」では、該押圧ヘッドとピストンシリンダーによるオリジナルな構造形態と技術特徴により、本考案は上記背景技術に述べられた従来の構造に対して、連結部の長さを短縮させることによって、製造工程中、雌ネジ部をブッシュ内に形成させるための十分な空間を有するようになり、押圧ヘッドとピストンシリンダーとの間の連結構造への変更を技術手段として、製造工程への改善が可能なうえに、外観の見た目のよさや良品率の向上につながるという実用性、進歩性がある。
【符号の説明】
【００１７】
１０  キャップ
２０  ピストンシリンダー      ２１  凹孔
２２  管体                    ２３  雄ネジ部
３０  吸上げパイプ
４０  ピストンチューブ        ４１  ピストン
５０  押圧ヘッド              ５１  押圧部
５２  ブッシュ                ５３  連結部
５４  雌ネジ部                ５５  液体吐出流路
８０  キャップ                ８１  ピストンシリンダー
８２  吸上げパイプ            ８３  ピストンチューブ
８４  押圧ヘッド              ８５  ネジ穴
８６  雄ネジ部セクション      ８７  ブッシュ
８８  継ぎ手
【図１】
0003203893.tif 000003
【図２】
0003203893.tif 000004
【図３】
0003203893.tif 000005
【図４】
0003203893.tif 000006
【図５】
0003203893.tif 000007
【図６】
0003203893.tif 000008
【図７】
0003203893.tif 000009
【図８】
0003203893.tif 000010